(57)【要約】【課題】  外的環境や経時変化によって防蟻効果が得られなくなることを阻止し、長期間防蟻効果を維持することを可能とする。【解決手段】  本発明は、建築物の基礎１で囲まれた土間２に防蟻性能を有する防蟻シート４を敷設した床下防蟻構造である。この床下防蟻構造の基礎際には溝部３が形成され、この溝部３に防蟻シート４の端部４ａが臨み、この防蟻シート４の端部４ａを覆う状態で、防蟻性能を有する防蟻粒材５が溝部３に充填されている。【選択図】      図１
2005155202.tif 000002
【特許請求の範囲】
【請求項１】
建築物の基礎で囲まれた土間部分に防蟻性能を有する防蟻シートを敷設した床下防蟻構造であって、
前記土間部分において、前記土間部分に立設する建築部材の際及び基礎際のうち少なくとも一方に溝部が形成され、
この溝部に前記防蟻シートの端部が臨み、
この防蟻シートの端部を覆う状態で、防蟻性能を有する防蟻粒材が前記溝部に充填されている
ことを特徴とする床下防蟻構造。
【請求項２】
請求項１記載の床下防蟻構造において、
前記防蟻粒材のうち、前記溝部の底面に充填されている防蟻粒材の粒径が、上層部に充填されている防蟻粒材の粒径よりも小さいこと
を特徴とする床下防蟻構造。
【請求項３】
請求項１記載の床下防蟻構造において、
前記溝部の底面は土間側から前記建築部材又は前記基礎に向けて下降する傾斜面とされ、前記溝部の幅が下方に向かって狭くなるように形成されている
ことを特徴とする床下防蟻構造。
【請求項４】
請求項３記載の床下防蟻構造において、
前記防蟻粒材のうち、前記最下面の底面に充填されている防蟻粒材の粒径が、上層部に充填されている防蟻粒材の粒径よりも小さいこと
を特徴とする床下防蟻構造。
【請求項５】
請求項１〜４のいずれかに記載の床下防蟻構造において、
前記防蟻シートが前記溝部の底面上に敷設され、その上に防蟻粒材が配設されている
ことを特徴とする床下防蟻構造。
【請求項６】
建築物の基礎で囲まれた土間部分に防蟻性能を有する防蟻シートを敷設した床下防蟻構造であって、
前記土間部分において、前記建築部材又は前記基礎のうち少なくとも一方から、所定の間隔を空けて堰が配置され、
前記防蟻シートは、少なくとも前記建築部材又は前記基礎と前記堰との間の領域における地盤を覆うように敷設され、
前記建築部材又は前記基礎と前記堰との間に敷設された前記防蟻シート上に、防蟻性能を有する防蟻粒材が充填されている
ことを特徴とする床下防蟻構造。
【請求項７】
建築物の基礎で囲まれた土間部分を防蟻する床下防蟻構造であって、
前記土間部分において、前記土間部分に立設する建築部材の際及び基礎際のうち少なくとも一方に防蟻性能を有する防蟻シートが敷設され、
この防蟻シートの上に防蟻性能を有する防蟻粒材で構成された防蟻粒子層が形成され、
この防蟻粒子層の外側に、当該防蟻粒子層を被覆し、前記防蟻粒子が散乱することを阻止する被覆部が形成されている
ことを特徴とする床下防蟻構造。
【請求項８】
建築物の基礎で囲まれた土間部分を防蟻する床下防蟻方法であって、
前記土間部分において、前記土間部分に立設する建築部材の際及び基礎際のうち少なくとも一方に防蟻性能を有する防蟻シートを敷設し、
この防蟻シートの上に防蟻性能を有する防蟻粒材を設置することにより防蟻粒子層を形成し、
この防蟻粒子層の表面に流動状態の硬化性樹脂を塗布し、この樹脂を固化させることにより、前記防蟻粒子が散乱することを阻止する被覆部を形成する
ことを特徴とする床下防蟻方法。
【発明の詳細な説明】
【技術分野】
【０００１】
本発明は、建築物における床下防蟻構造及びその方法に関するものである。
【背景技術】
【０００２】
従来、建築物の床下部分を防蟻するための構造としては、建築物の基礎で囲まれた土間部分に防蟻性を有する防蟻シートが敷設されたものがある（例えば特許文献１）。
【０００３】
かかる構造では、前記床下部分に配設された配管、束等に代表される建築部材の際と前記防蟻シートとの境界部分、又は、基礎際と前記防蟻シートとの境界部分に間隙が生じてしまうのが一般的であり、この間隙部分を防蟻する方法としては、例えば防蟻性能を有する液状の防蟻薬剤を塗布したり、防蟻薬剤入りのペーストを塗布して固化することが挙げられる。
【特許文献１】特開２０００−２２６８９３号公報
【発明の開示】
【発明が解決しようとする課題】
【０００４】
前述のように防蟻性能を有する液状の防蟻薬剤を塗布する方法を採る場合、作業中においては、防蟻薬剤が飛び散ってこの薬液が作業者に付着するおそれがあり、その取り扱いにおいて特別な注意を払う必要がある。
【０００５】
また、前記ペーストを塗布して固化させる方法を採る場合、前記ペーストを塗布する作業は、一般的に散布等と比較して作業効率が低いため、特に大きな領域に亘って防蟻処理を行う際には多大な手間を要していた。
【課題を解決するための手段】
【０００６】
前述のような課題を解決する手段としては、前記基礎際と前記防蟻シートの端部との境界部分、又は、前記建築部材の際と前記防蟻シートの端部との境界部分に生ずる間隙に、略１〜３ｍｍ程度の合成樹脂製の粒子や無機性粒子に防蟻薬剤を含ませて防蟻性能を持たせた防蟻粒材を設置し、この防蟻粒材で前記間隙及び前記防蟻シートの端部を被覆する構造が考えられる。
【０００７】
かかる構造を採ると、前記防蟻粒材に前記防蟻薬剤を含ませているため、施工時において、直接的に防蟻薬剤を散布する場合と異なり、防蟻薬剤が直接的に飛び散ることが阻止でき、従来のようにその取り扱いに特別な注意を払う必要が少なく、取り扱いの際の負担を軽減し、作業効率を向上させることができる。
【０００８】
さらに、前記防蟻粒材の設置は、設置する箇所に前記防蟻粒材を散布することにより行うことが出来、前記ペーストを使用した場合よりも作業効率を向上させることが可能となる。
【０００９】
しかしながら、防蟻粒材は粒子状で流動しやすいため、外的環境の変化や経時変化によって散乱しやすい。このような散乱等により、前記間隙や前記防蟻シートの端部を確実に覆うことが出来なくなり、前記建築部材の際や前記基礎際において確実な防蟻効果が得られないおそれがある。
【００１０】
そこで本発明は、前記防蟻粒材で前記境界部分に生ずる間隙及び前記防蟻シートの端部を確実に被覆することにより、長期にわたる使用においても高い防蟻効果を保つことを目的とする。
【００１１】
請求項１記載の発明は、建築物の基礎で囲まれた土間部分に防蟻性能を有する防蟻シートを敷設した床下防蟻構造であって、前記土間部分において、前記土間部分に立設する建築部材の際及び基礎際のうち少なくとも一方に溝部が形成され、この溝部に前記防蟻シートの端部が臨み、この防蟻シートの端部を覆う状態で、防蟻性能を有する防蟻粒材が前記溝部に充填されていることを特徴とする。
【００１２】
請求項２記載の発明は、請求項１記載の床下防蟻構造において、前記防蟻粒材のうち、前記溝部の底面に充填されている防蟻粒材の粒径が、上層部に充填されている防蟻粒材の粒径よりも小さいことを特徴とする。
【００１３】
請求項３記載の発明は、請求項１記載の床下防蟻構造において、前記溝部の底面は土間側から前記建築部材又は前記基礎に向けて下降する傾斜面とされ、前記溝部の幅が下方に向かって狭くなるように形成されていることを特徴とする。
【００１４】
請求項４記載の発明は、請求項３記載の床下防蟻構造において、前記防蟻粒材のうち、前記最下部の底面に充填されている防蟻粒材の粒径が、上層部に充填されている防蟻粒材の粒径よりも小さいことを特徴とする。
【００１５】
請求項５記載の発明は、請求項１〜４のいずれかに記載の床下防蟻構造において、前記防蟻シートが前記溝部の底面上に敷設され、その上に防蟻粒材が配設されていることを特徴とする。
【００１６】
請求項６記載の発明は、建築物の基礎で囲まれた土間部分に防蟻性能を有する防蟻シートを敷設した床下防蟻構造であって、前記土間部分において、前記建築部材又は前記基礎のうち少なくとも一方から、所定の間隔を空けて堰が配置され、前記防蟻シートは、少なくとも前記建築部材又は前記基礎と前記堰との間の領域における地盤を覆うように敷設され、前記建築部材又は前記基礎と前記堰との間に敷設された前記防蟻シート上に、防蟻性能を有する防蟻粒材が充填されていることを特徴とする。
【００１７】
請求項７記載の発明は、建築物の基礎で囲まれた土間部分を防蟻する床下防蟻構造であって、前記土間部分において、前記土間部分に立設する建築部材の際及び基礎際のうち少なくとも一方に防蟻性能を有する防蟻シートが敷設され、この防蟻シートの上に防蟻性能を有する防蟻粒材で構成された防蟻粒子層が形成され、この防蟻粒子層の外側に、当該防蟻粒子層を被覆し、前記防蟻粒子が散乱することを阻止する被覆部が形成されていることを特徴とする。
【００１８】
請求項８記載の発明は、建築物の基礎で囲まれた土間部分を防蟻する床下防蟻方法であって、前記土間部分において、前記土間部分に立設する建築部材の際及び基礎際のうち少なくとも一方に防蟻性能を有する防蟻シートを敷設し、この防蟻シートの上に防蟻性能を有する防蟻粒材を設置することにより防蟻粒子層を形成し、この防蟻粒子層の表面に流動状態の硬化性樹脂を塗布し、この樹脂を固化させることにより、前記防蟻粒子が散乱することを阻止する被覆部を形成することを特徴とする。
【発明の効果】
【００１９】
請求項１記載の発明の構成を採ると、前記防蟻粒材は前記建築部材の際及び基礎際のうち少なくとも一方に形成された溝部に充填されているため、防蟻粒材が前記基礎から離れる方向に崩れて広がったり、飛散したりするのを有効に阻止できる。すなわち、前記建築部材の際及び基礎際のうち少なくとも一方に溝部を形成し、その中に防蟻粒材を充填することにより、この防蟻粒材をその流動性に関わらず、前記建築部材の際又は前記基礎際に確実に保持でき、この防蟻粒材を使用することによって、建築部材又は基礎と防蟻シート端部との境界部分の防蟻処理の作業効率を向上させることが出来るため、施工の際の作業効率を向上させるとともに、長期にわたる使用において高い防蟻効果を保つことが可能となる。
【００２０】
請求項２記載の発明の構成を採ると、前記溝部の底面に充填されている防蟻粒材の粒径が、上層部に充填されている防蟻粒材の粒径よりも小さいため、前記防蟻粒材間に生ずる間隙を小さくして前記防蟻粒材の密度を高めて防蟻効果を向上させることが可能となる。さらに、前記上層部に充填されている防蟻粒材の粒径は前記底面に充填されている防蟻粒材の粒径よりも大きいため、前記底面に小径の防蟻粒材を配置したとしても、前記防蟻粒材が飛散することを阻止できる。したがって、より高い防蟻効果を得ることが可能となる。
【００２１】
請求項３記載の発明の構成を採ると、前記溝部の底面は土間側から前記建築部材又は前記基礎に向けて下降する傾斜面とされているため、いわゆるくさび効果により前記防蟻粒材が前記建築部材又は前記基礎に対して押し付けられる力を強くすることが出来る。したがって、前記建築部材の際や前記基礎際において、より高い防蟻効果を得ることが可能となる。
【００２２】
さらに、請求項４記載の発明のように、前記防蟻粒材のうち、前記溝部の最下部に充填されている防蟻粒材の粒径が、上層部に充填されている防蟻粒材の粒径よりも小さくすることにより、前記溝部の幅が狭くなっている下端部においても確実に前記防蟻粒材を充填することができる。さらに、前記防蟻粒材間に生ずる間隙を小さくして前記防蟻粒材の密度を高めることができるため、より高い防蟻効果を得ることが可能となる。またさらに、前記上層部に充填されている防蟻粒材の粒径は前記底面に充填されている防蟻粒材の粒径よりも大きいため、前記底部に小径の防蟻粒材を配置したとしても、前記防蟻粒材が飛散することを阻止できる。したがって、より高い防蟻効果を保つことが可能となる。
【００２３】
なお、本発明の構成としては、前記防蟻シートは、必ずしも前記溝部の底部に敷設されている必要はないが、請求項５記載の発明の構成のように、前記防蟻シートが前記溝部の底面上に敷設されているものにすると、この防蟻シートを前記防蟻粒材でより確実に被覆することが出来、防蟻効果をさらに向上させることが可能となる。
【００２４】
請求項６記載の発明の構成を採ると、前記建築部材又は前記基礎と前記堰との間に敷設された防蟻シート上に防蟻性能を有する防蟻粒材が充填されているため、前記建築部材又は前記基礎と前記防蟻シートの端部との境界部分に間隙が生じていたとしてもこの間隙を前記防蟻粒材で被覆することを可能とするとともに、前記防蟻シートの端部を前記防蟻粒材で被覆することが可能となる。さらに、前記防蟻粒材は、前記建築部材又は前記基礎と前記堰との間の部分に充填されることにより、この部分から飛び散ることが阻止されるため、前記間隙が前記防蟻粒材で被覆される状態を確実に保持するとともに、前記防蟻シートの端部が前記防蟻粒材で被覆される状態を確実に保持することが可能となる。したがって、長期にわたる使用において高い防蟻効果を保つことが可能となる。
【００２５】
請求項７記載の発明の構成を採ると、前記建築部材の際又は前記基礎際に防蟻シートが敷設され、この防蟻シートの上に防蟻性能を有する防蟻粒材で構成された防蟻粒子層が形成されているため、前記建築部材又は前記基礎と前記防蟻シートの端部との境界部分に間隙が生じていたとしてもこの間隙を前記防蟻粒子層で被覆することを可能とするとともに、前記防蟻シートの端部を前記防蟻粒子層で被覆することが可能となる。さらに、この防蟻粒子層の外側に当該防蟻粒子層を被覆する被覆部が形成されていることにより、前記防蟻粒子層の崩れや前記防蟻粒子の飛散を阻止して前記間隙が前記防蟻粒子層で被覆される状態を確実に保持するとともに、前記防蟻シートの端部が前記防蟻粒子層で被覆される状態を確実に保持することが可能となる。したがって、長期にわたる使用において高い防蟻効果を保つことが可能となる。
【００２６】
請求項８記載の発明の方法を採ると、前記防蟻粒材で構成された防蟻粒子層の表面に、前記硬化性樹脂を塗布し、この樹脂を固化させるだけの簡単な工程で、防蟻粒材の崩れや飛散を阻止し、長期にわたる使用において高い防蟻効果を保つ構成を構築することが可能となる。
【発明を実施するための最良の形態】
【００２７】
本発明の実施の形態につき、図１〜図１０を用いて説明する。
【００２８】
第一実施形態（図１参照）
本実施形態の床下防蟻構造は、基礎１で囲まれた土間２に溝部３が形成されるとともに、この土間２及び土間２内に形成された溝部３の表面に防蟻シート４が敷設され、溝部３に敷設されている防蟻シート４の上に防蟻粒材５が配置される状態で、この防蟻粒材５は溝部３内に充填されている。
【００２９】
溝部３は、土間２側の基礎際に形成されており、この溝部３の底面は、土間２側から基礎１にかけて下降する傾斜面３ａとされている。すなわち、この溝部３は、その幅が下方に向けて狭くなるように形成されている。
【００３０】
防蟻シート４は主に柔軟性を有する合成樹脂によりシート状に形成され、このシート内に防蟻薬剤を混入したりシート表面に防蟻薬剤を塗布したりすることにより、防蟻シート４に防蟻性能を持たせている。
【００３１】
また、防蟻シート４は、この防蟻シート４の端部４ａが傾斜面３ａに配設される状態で、土間２の表面全面に敷設されている。
【００３２】
なお、防蟻シート４に使用される合成樹脂としては、ＥＶＡ（エチレン−酢酸ビニル共重合体）及び低密度ポリエチレン等のポリエチレン及びポリプロピレン及びエチレン−αオレフィン共重合体等に代表されるオレフィン系素材、ＰＶＣ（ポリ塩化ビニル）、ＡＢＳ樹脂、ポリスチレン、アクリル樹脂、ナイロン等が挙げられる。また、前記防蟻薬材としては、ピレスロイド様薬剤（シラフルオフェン、エトフェンプロックス等）、ピレストイド系薬剤（ビフェントリン、サイパーメストン、デルタメスリン、パーメスリン、ペルメスリン、アレスリン、トラロメスリン等）、カーバメント系薬剤（プロボクスル、フェノカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等が挙げられる。
【００３３】
防蟻粒材５は、上記防蟻薬剤を溶媒に混入した被覆剤を直径０．３ｍｍ〜１０ｍｍ、好ましくは直径０．５ｍｍ〜５ｍｍの粒子の表面に塗布したものや、当該粒子に上記防蟻薬剤を練り込んだものが使用されており、前述の通り、溝部３内に位置する防蟻シート４上に配置される状態で、溝部３内に充填されている。
【００３４】
粒子の素材としては、無機質粒子（砂、軽石、ゼオライト、ガラス、スラグ陶磁器の粉砕物、シリカゲル、シラス、ひる石、珪砂、クレータルク、炭酸カルシウム、ベントナイト、珪藻土、硫酸マグネシウム）、活性炭、合成樹脂（ポリエチレン、ポリプロピレン、ＥＶＡ（エチレン−酢酸ビニルアルコール共重合体）、ＰＶＣ（ポリ塩化ビニル）、ナイロン等）等が挙げられる。溶媒としては、水、有機溶剤（エタノール、メタノール、イソプロピルアルコール、キシレン、トルエン、酢酸エチル、ノルマルヘキサン、ベンゼン、メチルエチルケトン）等が挙げられる。また、コレマナイト、尖角状のガラス片等のように、粒子自体に防蟻性能を有するものを用いてもよい。
【００３５】
以上の構成を採ると、前記防蟻粒材５は前記基礎際に形成された溝部３に充填されているため、防蟻粒材５が前記基礎１から離れる方向に崩れて広がったり、飛散したりするのを有効に阻止できる。すなわち、基礎際に溝部３を形成し、その中に防蟻粒材５を充填することにより、この防蟻粒材５をその流動性に関わらず、前記基礎際に確実に保持でき、この防蟻粒材５を使用することによって、基礎１と防蟻シート４の端部４ａとの境界部分の防蟻処理の作業効率を向上させることが出来るため、施工の際の作業効率を向上させるとともに、長期にわたる使用において高い防蟻効果を保つことが可能となる。
【００３６】
また、前記溝部３の底面は、土間２側から基礎１に向けて下降する傾斜面３ａとされているため、いわゆるくさび効果により前記防蟻粒材５が基礎１に対して押し付けられる力を強くすることが出来る。したがって、前記基礎際において、より高い防蟻効果を得ることが可能となる。
【００３７】
さらに、防蟻シート４の端部４ａが溝部３の傾斜面３ａの表面に敷設されているため、端部４ａが溝部３の傾斜面３ａの表面に敷設されていないものと比較して、防蟻シート４の端部４ａを防蟻粒材５でより確実に被覆することが出来、防蟻効果をさらに向上させることが可能となる。
【００３８】
以下において他の実施形態について説明する。なお、前記実施形態と同構成のものについては、同一符号を付すのみとし、その詳細な説明は省略する。
【００３９】
第二実施形態（図２参照）
本実施形態の床下防蟻構造は、防蟻粒材５について二種類の径のものを有し、小径の防蟻粒材５ａを下層側に充填し、大径の防蟻粒材５ｂを上層側に充填したものである。すなわち、溝部３の最下部に充填されている防蟻粒材の径は、上層部に充填されている防蟻粒材よりも小さくなっている。
【００４０】
この構成を採ると、前記溝部３の幅が狭くなっている溝部３の下端部においても確実に防蟻粒材５を充填するとともに、防蟻粒材５間に生ずる間隙を小さくして防蟻粒材５の密度を高めることができるため、より高い防蟻効果を得ることが可能となる。またさらに、前記上層部に充填されている防蟻粒材５の粒径は前記最下部に充填されている防蟻粒材５の粒径よりも大きいため、前記最下面に小径の防蟻粒材５ａを配置したとしても、前記防蟻粒材５が飛散することを阻止できる。したがって、より高い防蟻効果を保つことが可能となる。
【００４１】
第三実施形態（図３参照）
本実施形態の床下防蟻構造は、溝部３の底面が傾斜面とされておらず、溝部３の幅は、全ての深さにおいて略同幅となっている。また、第二実施形態と同様、小径の防蟻粒材５ａが下層側に充填され、大径の防蟻粒材５ｂが上層側に充填されている。すなわち、溝部３の底面に充填されている防蟻粒材の径は、上層部に充填されている防蟻粒材の径よりも小さくなっている。
【００４２】
この構成を採ると、溝部３の底面に充填されている防蟻粒材５の粒径が、上層部に充填されている防蟻粒材５の粒径よりも小さいため、防蟻粒材５間に生ずる間隙を小さくして防蟻粒材５の密度を高めて防蟻効果を向上させることが可能となる。さらに、前記上層部に充填されている防蟻粒材５の粒径は前記底面に充填されている防蟻粒材５の粒径よりも大きいため、前記底面に小径の防蟻粒材５ａを配置したとしても、防蟻粒材５が飛散することを阻止できる。したがって、より高い防蟻効果を得ることが可能となる。
【００４３】
第四実施形態（図４参照）
本実施形態の床下防蟻構造は、溝部３が形成されず、その代わり、基礎１から所定の間隔を空けた防蟻シート４上に堰６を配置し、この基礎１と堰６との間に敷設された防蟻シート４上に防蟻粒材５が充填されている。
【００４４】
この構成を採ると、基礎１と堰６との間に敷設された防蟻シート４上に防蟻粒材５が充填されているため、基礎１と前記防蟻シート４の端部４ａとの境界部分に間隙が生じていたとしてもこの間隙を防蟻粒材５で被覆することを可能とするとともに、防蟻シート４の端部４ａを防蟻粒材５で被覆することが可能となる。さらに、防蟻粒材５は、基礎１と堰６との間の部分に充填されることにより、この部分から飛び散ることが阻止されるため、前記間隙が防蟻粒材５で被覆される状態を確実に保持するとともに、防蟻シート４の端部４ａが防蟻粒材５で被覆される状態を確実に保持することが可能となる。したがって、長期にわたる使用において高い防蟻効果を保つことが可能となる。
【００４５】
第五実施形態（図５参照）
本実施形態の床下防蟻構造は、土間２上に敷設された防蟻シート４上に防蟻粒材５を配置することにより防蟻粒子層７が形成され、この防蟻粒子層７の外側に、この防蟻粒子層７を被覆する被覆部８が形成されている。
【００４６】
被覆部８は、主にウレタン、アクリル、エポキシなどの硬化性樹脂で形成されており、この被覆部８により、防蟻粒材５が散乱することを阻止している。
【００４７】
この床下防蟻構造を施工する方法としては、まず、基礎際に位置する土間２に防蟻シート４を敷設し、次に、この防蟻シート４の上に防蟻粒材５を設置することにより防蟻粒子層７を形成する。そして、この防蟻粒子層７の表面に流動状態の前記硬化性樹脂を塗布し、この樹脂を固化させることにより被覆部８を形成する。
【００４８】
この構造を採ると、基礎際に防蟻シート４が敷設され、この防蟻シート４の上に防蟻粒材５で構成された防蟻粒子層７が形成されているため、基礎１と防蟻シート４の端部４ａとの境界部分に間隙が生じていたとしてもこの間隙を防蟻粒子層７で被覆することを可能とするとともに、防蟻シート４の端部４ａを防蟻粒子層７で被覆することが可能となる。さらに、この防蟻粒子層７の外側に防蟻粒子層７を被覆する被覆部８が形成されているため、防蟻粒子層７の崩れや防蟻粒材５の飛散を阻止して前記間隙が防蟻粒子層７で被覆される状態を確実に保持するとともに、防蟻シート４の端部４ａが防蟻粒子層７で被覆される状態を確実に保持することが可能となる。したがって、長期にわたる使用において高い防蟻効果を保つことが可能となる。
【００４９】
さらに、前記防蟻粒材で構成された防蟻粒子層の表面に、前記硬化性樹脂を塗布し、この樹脂を固化させるだけの簡単な工程で、前記防蟻粒材の崩れや飛散を阻止し、長期にわたる使用において高い防蟻効果を保つ構成を構築することが可能となる。
【００５０】
その他実施形態（図６〜図１０参照）
（１）  第一〜第三実施形態の床下防蟻構造は、防蟻シート４の端部４ａが防蟻粒材５で被覆されていれば、必ずしも防蟻シート４の端部４ａを傾斜面３ａや底面に敷設する必要はない。例えば図６に図示するように、防蟻粒材５が充填されている部分の中に差し込まれる状態で防蟻シート４の端部４ａを配置してもよい。
【００５１】
（２）  第一〜第三実施形態の床下防蟻構造は、溝部３に防蟻粒材５が充填されていれば特に限定されるものではなく、例えば図７に図示するように、溝部３よりも上方に位置する高さまで防蟻粒材５を盛り上げて設置する構造にしてもよい。
【００５２】
この点については第四実施形態についても同様に、基礎１と堰６との間の部分に防蟻粒材５が存在していればよく、堰６よりも上方に位置する高さまで防蟻粒材５を盛り上げて設置する構造にしてもよい。
【００５３】
（３）  溝部３の幅は任意に設定することが出来るが、例えば、図８に図示する床下防蟻構造のように、幅Ｗが２０ｃｍ以上となる形状に溝部３を形成すると、より有効な防蟻効果を奏することが可能となる。
【００５４】
（４）  図９に図示するように、土間２上に敷設された防蟻シート４及び溝部３の上に土間コンクリート９を打設してもよい。
【００５５】
（５）  第四実施形態の床下防蟻構造は、必ずしも堰６を防蟻シート４上に設ける必要はなく、例えば図１０に図示されているように、堰６を土間２の表面に直接配置し、堰６を覆う状態で防蟻シート４を敷設した床下防蟻構造にしてもよい。また、堰６は、必ずしも図４、図１０に図示するような四角柱の形状を有するものに限られるものではない。例えば、図１１に図示するように、凸型の断面形状を有する柱状に堰６を形成してもよいし、さらに、板状のものを立直させることにより堰６を形成してもよい。また、図１２に図示するように、相互に直交する二つの直交面６ａと直交面６ａ同士を接続する傾斜面６ｂとを有する中空状の直角二等辺三角形柱の形状に堰６を形成し、傾斜面６ｂを基礎１側に向け、かつ、直交面６ａが土間２の表面に接する状態で、堰６を基礎際に配置し、堰６を覆う状態で防蟻シート４を敷設する床下防蟻構造にしてもよい。
【００５６】
（６）  前述の実施形態は、全て基礎際を防蟻する構造について記載しているが、かかる構造は、基礎際を防蟻する場合のみならず、例えば、基礎１で囲まれた土間２に配置されている配管や束等の建築部材の際を防蟻する構造としても適用が可能である。
【００５７】
（７）  防蟻シート４は、必ずしも土間２の全面に敷設する必要はなく、基礎際のみに敷設してもよい。もっとも、高い防蟻効果を有する床下防蟻構造にするためには、少なくとも基礎１から２０ｃｍの領域については防蟻シート４を敷設することが好ましい。
【００５８】
（８）  防蟻シート４として使用する素材は、前述の実施形態で使用した合成樹脂の他、ステンレス等の金属性のメッシュシートやガラス繊維のメッシュシート等を用いてもよい。
【００５９】
（９）  土間２の全面に防蟻シート４を敷設しない場合や防蟻シート４に前述のようなメッシュシートを使用した場合、より高い防蟻効果を得る観点からは、使用する防蟻粒材５は、防蟻薬剤を表面に塗布したものや、防蟻粒材５を構成する素材そのものに防蟻薬剤を練り込んだもの等、防蟻薬剤で防蟻処理を行ったものを用いるのが特に好ましい。
【００６０】
（１０）  本発明の実施形態に該当するものではないが、建築物の床下部分を防蟻するための構造としては、他に、図１０に図示するように、基礎１で囲まれた土間２に防蟻シート４を敷設し、この防蟻シート４の上に防蟻粒材５が敷設されたものが存在する。
【図面の簡単な説明】
【００６１】
【図１】本発明の第一実施形態にかかる床下防蟻構造を示す断面図である。
【図２】本発明の第二実施形態にかかる床下防蟻構造を示す断面図である。
【図３】本発明の第三実施形態にかかる床下防蟻構造を示す断面図である。
【図４】本発明の第四実施形態にかかる床下防蟻構造を示す断面図である。
【図５】本発明の第五実施形態にかかる床下防蟻構造を示す断面図である。
【図６】本発明のその他実施形態の一実施形態にかかる床下防蟻構造を示す断面図である。
【図７】本発明のその他実施形態の一実施形態にかかる床下防蟻構造を示す断面図である。
【図８】本発明のその他実施形態の一実施形態にかかる床下防蟻構造を示す断面図である。
【図９】本発明のその他実施形態の一実施形態にかかる床下防蟻構造を示す断面図である。
【図１０】本発明のその他実施形態の一実施形態にかかる床下防蟻構造を示す断面図である。
【図１１】本発明のその他実施形態の一実施形態にかかる床下防蟻構造を示す断面図である。
【図１２】本発明のその他実施形態の一実施形態にかかる床下防蟻構造を示す断面図である。
【図１３】基礎際に防蟻シートを敷設した床下防蟻構造の一形態を示す断面図である。
【符号の説明】
【００６２】
１    基礎
２    土間
３    溝部
３ａ  傾斜面
４    防蟻シート
５、５ａ、５ｂ    防蟻粒材
６    堰
７    防蟻粒子層
８    被覆部
【図１】
2005155202.tif 000003
【図２】
2005155202.tif 000004
【図３】
2005155202.tif 000005
【図４】
2005155202.tif 000006
【図５】
2005155202.tif 000007
【図６】
2005155202.tif 000008
【図７】
2005155202.tif 000009
【図８】
2005155202.tif 000010
【図９】
2005155202.tif 000011
【図１０】
2005155202.tif 000012
【図１１】
2005155202.tif 000013
【図１２】
2005155202.tif 000014
【図１３】
2005155202.tif 000015